(57)【要約】      （修正有）【課題】迅速に包装することができる、包装機の構造を提供する。【解決手段】本考案による包装機の構造は、フレーム体の供給コンベアで包装する被包装物を搬送し、袋供給モジュールで巻かれた状態の包装材を送り出し、テンション調整モジュールによって包装材にテンションを加え、開袋モジュールで包装材を開いて開口部を作り、同期出力モジュールによって包装材の離型紙を剥がし、包装材及び離型紙を同期出力させ、垂直移動装置６及び水平移動装置５で協働して被包装物９を包装材の中に入れ、ストッパー７で被包装物を包装材の内側の縁に貼り合わせ、パッケージ成型装置８で包装材を切断し被包装物の包装材を形成する。以上により、迅速に包装できるというメリットがある。【選択図】図２
0003211779.tif 000002
【実用新案登録請求の範囲】
【請求項１】
少なくとも一つのフレーム体と、少なくとも一つの供給コンベアと、少なくとも一つのパッケージ送り出し装置と、少なくとも一つの同期出力モジュールと、少なくとも一つの水平移動装置と、少なくとも一つの垂直移動装置と、少なくとも一つのストッパーと、少なくとも一つのパッケージ成型装置と、からなる包装機の構造であって、
前記供給コンベアは、前記フレーム体に設けられ、且つ、被包装物を搬送することにより包装を行い、
前記パッケージ送り出し装置は、前記フレーム体に設けられ且つ前記供給コンベアの片側に位置し、且つ、巻かれた状態の包装材を送り出す少なくとも一つの袋供給モジュールと、前記袋供給モジュールの側に設けられ且つ前記包装材にテンションを加える少なくとも一つのテンション調整モジュールと、前記テンション調整モジュールの側に設けられ且つ前記包装材を開き開口部を作る少なくとも一つの開袋モジュールと、からなり、
前記同期出力モジュールは、前記パッケージ送り出し装置の側に設けられた前記包装材の離型紙を剥がすとともに、前記包装材及び前記離型紙を同期出力し、
前記水平移動装置は、前記供給コンベアに設けられ、且つ、前記被包装物を水平に移動させ、
前記垂直移動装置は、前記供給コンベアに設けられ、且つ、前記水平移動装置の側にある前記被包装物を垂直移動させるとともに、前記水平移動装置と協働して前記被包装物を前記包装材内に入れ、
前記ストッパーは、前記垂直移動装置の片側に設けられ、且つ、前記被包装物を前記包装材内側の縁に貼り合わせ、
前記パッケージ成型装置は、前記開袋モジュールの側に設けられ、且つ、前記包装材を切断するとともに、前記被包装物を包んだ包装材を形成することを特徴とする、包装機の構造。
【請求項２】
前記テンション調整モジュールは、複数個のローラーと、前記ローラーに設けられた少なくとも一つのテンションレバーと、前記テンションレバーの側に設けられた少なくとも一つのセンサー部品とからなり、前記センサー部品は前記テンションレバーの位置を感知することで前記袋供給モジュールを起動または停止させることを特徴とする、請求項１に記載の包装機の構造。
【請求項３】
前記同期出力モジュールは、一つの剥離部品と、剥離部品の側に設けられた複数個の同期ローラーとからなり、また、前記同期出力モジュールは、離型紙を巻き取って回収する一つの巻取り軸を備えており、前記剥離部品は前記離型紙を剥がし、前記同期ローラーは前記包装材と前記離型紙を搬送することを特徴とする、請求項１に記載の包装機の構造。
【請求項４】
前記水平移動装置の側には、一つの荷卸しモジュールが設けられ、前記水平移動装置は前記被包装物を前記開袋モジュールの方へ移動させ、前記荷卸しモジュールを起動させることで、前記被包装物を前記包装材内へ落とし、前記水平移動装置は、一つの第一空気圧シリンダーと、前記第一空気圧シリンダーに設けられた水平プッシュプレートとからなり、前記垂直移動装置は、一つの第二空気圧シリンダーと、前記第二空気圧シリンダーに設けられた垂直プッシュプレートとからなる、ことを特徴とする、請求項１に記載の包装機の構造。
【請求項５】
前記パッケージ成型装置の側には少なくとも一つの定位置プッシュモジュールが設けられ、前記定位置プッシュモジュールは、包装材内の被包装物を定位置まで押し動かすことで、前記パッケージ成型装置が前記包装材を切断し、
また、前記パッケージ成型装置の片側には少なくとも一つのパッケージングモジュールが設けられ、前記パッケージングモジュールは、一つのパッケージ搬送モジュールと、パッケージ搬送モジュールの側に設けられた一つのパッケージプレスモジュールと、前記パッケージプレスモジュールの側に設けられた一つのパッケージ折りモジュールとからなり、
前記パッケージ搬送モジュールは、前記包装材を受け取るとともに、前記パッケージ折りモジュールが折り畳む位置まで移動させ、さらに、前記パッケージプレスモジュールによって前記包装材をプレスすることで、前記パッケージ折りモジュールが前記包装材の縁のシールを折りたたみ、前記包装材の表面に貼り合わせて密封させ、
また、前記パッケージ成型装置は、ヒートカッターであることを特徴とする、請求項１に記載の包装機の構造。
【考案の詳細な説明】
【技術分野】
【０００１】
本考案は包装機の構造に関し、特に、自動かつ迅速に包装物を包装できる包装機の構造に関する。
【背景技術】
【０００２】
市場には、様々な商品があるが、商品を美しく見せまた商品を保護するために、一般的に商品すべてを包装してから消費者の購入に供するが、これまでは被包装物を包装するのは人力によってする必要があったが、これではかなりの労力の無駄であり、また包装の工程は時間がかかり、このゆえ費用と時間の無駄はメーカーの損失となるため、包装のスピードを速くし、商品包装のコストを下げるには、現代の自動化された生産ラインに頼ることが必要で、商品を包装するうえで機械は人力にとって代わってきた。
【考案の概要】
【考案が解決しようとする課題】
【０００３】
本考案は、迅速に包装することができる、包装機の構造を提供することを目的とする。
【課題を解決するための手段】
【０００４】
本考案による包装機は、主に少なくとも一つのフレーム体と、前記フレーム体に設けられた少なくとも一つの供給コンベアと、前記フレーム体に設けられ且つ前記供給コンベアの片側に位置する少なくとも一つのパッケージ送り出し装置と、前記パッケージ送り出し装置の側に設けられた少なくとも一つの同期出力モジュールと、前記供給コンベアに設けられた少なくとも一つの水平移動装置と、前記供給コンベアに設けられ且つ前記水平移動装置の側に位置する少なくとも一つの垂直移動装置と、前記垂直移動装置の片側に設けられた少なくとも一つのストッパーと、開袋モジュールの側に設けられた少なくとも一つのパッケージ成型装置と、からなる。前記パッケージ送り出し装置は、巻かれた状態の包装材を送り出す少なくとも一つの袋供給モジュールと、前記袋供給モジュールの側に設けられ前記包装材にテンションを加える少なくとも一つのテンション調整モジュールと、前記テンション調整モジュールの側に設けられ且つ前記包装材を開き開口部を作る少なくとも一つの開袋モジュールとからなり、被包装物を前記フレーム体の前記供給コンベアに置き、前記パッケージ送り出し装置によって前記包装材を前記同期出力モジュールまで搬送し、それから前記包装材の離型紙を剥がしシールを露出させ、前記水平移動装置と前記垂直移動装置によって前記被包装物を前記パッケージ成型装置まで押し動かし、前記ストッパーを通過することで、前記被包装物を前記包装材の内側の縁に貼り合わせ、前記パッケージ成型装置が前記包装材で前記被包装物を完全に包装するようにする。
【考案の効果】
【０００５】
本考案が提供する包装機の構造は、包装作業が迅速にできかつ労力が節約できる。
【図面の簡単な説明】
【０００６】
【図１】本考案の供給コンベアの側面図である。
【図２】本考案の供給コンベアの俯瞰図である。
【図３】本考案のパッケージ送り出し装置の側面図である。
【図４】本考案のパッケージ送り出し装置の俯瞰図である。
【図５】本考案の同期出力モジュールの概略図（一）である。
【図６】本考案の同期出力モジュールの概略図（二）である。
【図７】本考案の図６に示すＡ部分の拡大図である。
【図８】本考案のパッケージ成型装置の概略図である。
【図９】本考案のパッケージングモジュールの概略図である。
【図１０】本考案のパッケージ搬送モジュールの作動概略図（一）である。
【図１１】本考案のパッケージ搬送モジュールの作動概略図（二）である。
【図１２】本考案のパッケージ折りモジュールの作動概略図である。
【考案を実施するための形態】
【０００７】
図１から図９を参照する。本考案による包装機の構造は、少なくとも一つのフレーム体１と、少なくとも一つの供給コンベア２と、少なくとも一つのパッケージ送り出し装置３と、少なくとも一つの同期出力モジュール４と、少なくとも一つの水平移動装置５と、少なくとも一つの垂直移動装置６と、少なくとも一つのストッパー７と、少なくとも一つのパッケージ成型装置８と、からなる。
【０００８】
前記供給コンベア２は前記フレーム体１に設けられる。また、前記供給コンベア２は、被包装物９を搬送することにより包装を行う。
【０００９】
前記パッケージ送り出し装置３は、前記フレーム体１に設けられ且つ前記供給コンベア２の片側に位置する。また、前記パッケージ送り出し装置３は、巻かれた状態の包装材９１を送り出す少なくとも一つの袋供給モジュール３１と、前記袋供給モジュール３１の側に設けられ且つ前記包装材９１にテンションを加える少なくとも一つのテンション調整モジュール３２と、前記テンション調整モジュール３２の側に設けられ且つ前記包装材９１を開き開口部を作る少なくとも一つの開袋モジュール３３と、からなる。前記テンション調整モジュール３２は、複数個のローラー３２１と、前記ローラー３２１に設けられた少なくとも一つのテンションレバー３２２と、前記テンションレバー３２２の側に設けられた少なくとも一つのセンサー部品３２３とからなり、前記センサー部品３２３は前記テンションレバー３２２の位置を感知することで、前記パッケージモジュール３１を起動または停止させる。
【００１０】
前記同期出力モジュール４は、前記パッケージ送り出し装置３の側に設けられる。また、前記同期出力モジュール４は、前記包装材９１の離型紙を剥がすとともに、前記包装材９１及び前記離型紙を同期出力する。また、前記同期出力モジュール４は、一つの剥離部品４１と、剥離部品４１の側に設けられた複数個の同期ローラー４２と、からなる。前記剥離部品４１は離型紙を剥がし、前記同期ローラー４２は前記包装材９１及び前記離型紙を搬送する。また、前記同期出力モジュール４は、さらに、前記離型紙を巻き取って回収する一つの巻取り軸４３を備える。
【００１１】
前記水平移動装置５は、前記供給コンベア２に設けられる。また、前記水平移動装置５は、前記被包装物９を水平に移動させる。前記水平移動装置５の側には一つの荷卸しモジュール５１が設けられ、前記水平移動装置５が前記被包装物９を前記開袋モジュール３３の方向へ移動させるとともに、前記荷卸しモジュール５１を起動させることで、前記被包装物９を前記包装材９１内へ落とす。また、前記水平移動装置５は、一つの第一空気圧シリンダー５２と、前記第一空気圧シリンダー５２に設けられた水平プッシュプレート５２１と、からなる。
【００１２】
前記垂直移動装置６は、前記供給コンベア２に設けられ且つ前記水平移動装置５の側に位置する。また、前記垂直移動装置６は、前記被包装物９を垂直移動させるとともに、前記水平移動装置５と協働して前記被包装物９を前記包装材９１の中に入れる。前記垂直移動装置６は、一つの第二空気圧シリンダー６１と、前記第二空気圧シリンダー６１に設けられた垂直プッシュプレート６１１と、からなる。
【００１３】
前記ストッパー７は前記垂直移動装置６の片側に設けられる。また、前記ストッパー７は、前記被包装物９を前記包装材９１の内側の縁に貼り合わせる。
【００１４】
前記パッケージ成型装置８は、前記開袋モジュール３３の側に設けられる。また、前記パッケージ成型装置８の側には、少なくとも一つの定位置プッシュモジュール８１が設けられ、前記定位置プッシュモジュール８１が前記包装材９１の中の前記被包装物９を定位置まで押し動かすことで、前記パッケージ成型装置８が前記包装材９１を切断する。また、前記パッケージ成型装置８の片側には少なくとも一つのパッケージングモジュール８２が設けられ、前記パッケージングモジュール８２は、一つのパッケージ搬送モジュール８２１と、前記パッケージ搬送モジュール８２１の側に設けられた一つのパッケージプレスモジュール８２２と、前記パッケージプレスモジュール８２２の側に設けられた一つのパッケージ折りモジュール８２３と、からなる。前記パッケージ搬送モジュール８２１は前記包装材９１を受け取るとともに、前記パッケージ折りモジュール８２３の折り畳む位置まで移動させ、前記パッケージプレスモジュール８２２によって前記包装材９１をプレスすることで、前記パッケージ折りモジュール８２３が前記包装材９１の縁のシールを折りたたみ前記包装材９１の表面に貼り合わせて密封させる。また、前記パッケージ成型装置８は、少なくとも一つのヒートカッター８２４を備える。
【００１５】
図１から図１２を参照する。図から分かるように、前記フレーム体１上の前記供給コンベア２は搬送ベルトであり、使用者は、包装する前記被包装物９を前記供給コンベア２に置くことができる。前記パッケージ送り出し装置３の前記包装材９１は包装袋である。前記袋供給モジュール３１によって、巻かれた状態の前記包装材９１を送り出すとともに、前記テンション調整モジュール３２によって前記包装材９１にテンションをかけ、それにより、前記包装材９１が前記ローラー３２１及び前記テンションレバー３２２に配置される。前記包装材９１が使い終わった時、前記センサー部品３２３はテンションレバーが上がったことを検出して、それにより前記袋供給モジュール３１をオフにして前記包装材９１の搬送を停止させることができる。また、前記開袋モジュール３３は、前記包装材９１を開いて開口部を形成させることができ、前記包装材９１を前記同期出力モジュール４まで送り、前記剥離部品４１によって前記包装材９１の前記離型紙を剥がすことで、元々前記離型紙に覆われていたシールを前記包装材９１の表面に露出させるとともに、前記同期ローラー４２によって前記離型紙及び前記包装材９１を搬送し、且つ前記巻取り軸４３によって前記離型紙を巻きとって回収する。さらに、前記被包装物９が前記水平移動装置５まで搬送された時、前記第一空気圧シリンダー５２に連動した前記水平プッシュプレート５２１によって前記被包装物９が水平移動して前記荷卸しモジュール５１上方まで送られ、それにより、前記荷卸しモジュール５１が起動して前記被包装物９を前記パッケージ成型装置８に落とす。また、前記荷卸しモジュール５１の前記垂直移動装置６も前記水平移動装置５と協働し、前記第二空気圧シリンダー６１で前記垂直プッシュプレート６１１を動かし前記被包装物９を前記荷卸しモジュール５１の開口部へと押し、それにより、前記被包装物９が前記荷卸しモジュール５１に引っかからないようにする。そして、前記被包装物９が前記ストッパー７を通過することで、前記被包装物９を前記包装材９１の内側の縁に貼り合わせるとともに、前記定位置プッシュモジュール８１によって前記包装材９１の中の前記被包装物９を定位置まで押し動かす。それにより、前記ヒートカッター８２４が前記包装材９１を裁断するとともに、前記パッケージングモジュール８２によって前記包装材９１を包装する。前記パッケージ搬送モジュール８２１は前記包装材９１を受け取るとともに、前記パッケージ折りモジュール８２３の折り畳む位置まで移動させ、パッケージプレスモジュール８２２によって前記包装材９１をプレスする。それにより、前記パッケージ折りモジュール８２３が前記包装材９１の縁のシールを折り畳んで前記包装材９１の表面を貼り合わせて密封させる。前記被包装物９が完全に前記包装材９１の中に包装されるようにすることで、人の手により包装した場合の時間と労力の無駄の問題を解決できる。
【符号の説明】
【００１６】
１      フレーム体
２      供給コンベア
３      パッケージ送り出し装置
３１    袋供給モジュール
３２    テンション調整モジュール
３２１  ローラー
３２２  テンションレバー
３２３  センサー部品
３３    開袋モジュール
４      同期出力モジュール
４１    剥離部品
４２    同期ローラー
４３    巻取り軸
５      水平移動装置
５１    荷卸しモジュール
５２    第一空気圧シリンダー
５２１  水平プッシュプレート
６      垂直移動装置
６１    第二空気圧シリンダー
６１１  垂直プッシュプレート
７      ストッパー
８      パッケージ成型装置
８１    定位置プッシュモジュール
８２    パッケージングモジュール
８２１  パッケージ搬送モジュール
８２２  パッケージプレスモジュール
８２３  パッケージ折りモジュール
８２４  ヒートカッター
９      被包装物
９１    包装材
【図１】
0003211779.tif 000003
【図２】
0003211779.tif 000004
【図３】
0003211779.tif 000005
【図４】
0003211779.tif 000006
【図５】
0003211779.tif 000007
【図６】
0003211779.tif 000008
【図７】
0003211779.tif 000009
【図８】
0003211779.tif 000010
【図９】
0003211779.tif 000011
【図１０】
0003211779.tif 000012
【図１１】
0003211779.tif 000013
【図１２】
0003211779.tif 000014